(57)【要約】【課題】  フィルムなどの捲装物を巻き取った防塵紙管を、パッケージ内に収納し塵埃の付着を防止すると共に、防塵紙管をパッケージ内で安定的に固定し、そのままクリーンルーム内に持ち込みでき、防塵紙管に巻かれた捲装物の巻き取り、巻き戻し作業が可能な捲装物巻き取り紙管用パッケージを提供する。【解決手段】  防塵紙管５に巻き取られた捲装物Ｆを収納する円筒状の紙管パッケージであって、該パッケージ本体１は、少なくとも内周面を防塵紙１ａとする。両端開口部２，２を閉鎖する蓋体３，３は少なくとも内面側を防塵紙３ａ，３ａとする。蓋体３，３の内面側に捲装物Ｆを巻き取った防塵紙管５の内径に嵌合する紙管保持体４，４を設ける。【選択図】図４
2009040573.tif 000002
【特許請求の範囲】
【請求項１】
防塵紙管に巻き取られた捲装物を収納する円筒状の紙管パッケージであって、該パッケージ本体は、少なくとも内周面を防塵紙とし、両端開口部を閉鎖する蓋体は少なくとも内面側を防塵紙とすると共に、蓋体の内面側に捲装物を巻き取った防塵紙管の内径に嵌合する紙管保持体を設けたことを特徴とする捲装物巻き取り紙管用パッケージ。
【請求項２】
前記蓋体は、内面側の外周縁に防塵紙管の両端部が嵌まる段部を設けたことを特徴とする請求項１に記載の捲装物巻き取り紙管用パッケージ。
【請求項３】
前記紙管保持体は、短円筒状の紙管であり、内、外周面を防塵紙とすると共に、先端部を合成樹脂で塗着して樹脂被膜を施してあることを特徴とする請求項１または請求項２に記載の捲装物巻き取り紙管用パッケージ。
【発明の詳細な説明】
【技術分野】
【０００１】
本発明は、主として光学用、電子用フィルムあるいは食品用、薬品用包装フィルムなどを巻き取る紙管のパッケージに関し、さらに詳しくは、運搬時や輸送時または保管する時に紙管をパッケージ内に収納し、そのままクリーンルーム内などに持ち込むことが可能な捲装物巻き取り紙管用パッケージに関するものである。  
【背景技術】
【０００２】
従来から、プラスチックフィルム、プラスチックシート、繊維、紙、アルミ箔などの帯状物をロール状に巻き付けたり、あるいは巻き付けた帯状物を巻き戻したりする時に使用する紙管は、クラフト紙からなる帯状原紙の複数枚を互いにずらして重合接着させながらスパイラル状に巻回して作られたものである。この紙管は捲装物の巻き幅に応じてカッターにより一定の長さに切断されて使用されている。
【０００３】
紙管がカッターで切断されると、切断面にメクレ、カエリが発生すると共に、紙を構成しているパルプ繊維が露出し、紙粉といわれる微細化したパルプ繊維の脱落が生じ、この紙粉が飛散して捲装物に付着するなどの問題が生じる。
【０００４】
この紙粉が捲装物に付着しても問題にならない捲装物の場合は良いが、液晶用フィルムや電子回路基板用フィルムあるいは食品用、薬品用包装フィルムなどの場合は微少の紙粉が付着しても欠陥品となることから、通常の紙管では巻き取れなかった。
【０００５】
前記のようなフィルムなどの捲装物を巻き付ける紙管としては、接着剤を用いて帯状原紙を無塵紙または硫酸紙とし、複数層巻き付けて形成される紙管が知られている（例えば、特許文献１）。あるいは紙管の胴部に筒状の熱収縮フィルムを被せ、このフィルムを熱収縮させて紙管胴部表面に密着させることにより紙管表面からの発塵性を防止する紙管が知られている（例えば、特許文献２）。
【０００６】
上記のような非発塵性処理を施された紙管は、フィルムなどの捲装物を巻き付け、巻き戻し作業をクリーンルームやそれに近い塵埃が少ない環境に保たれた室内で行われることから、そのまま使用できるが、フィルムなどの捲装物を巻き取った紙管をそのままにしておくと塵埃が付着することから、パッケージに収納して運搬や輸送あるいは保管されているが、そのパッケージは、通常、プラスチック製の有底円筒状のものであり、上端開口部に蓋体を被せたものである。
【０００７】
【特許文献１】実用新案登録３１０５７９８号公報
【特許文献２】特開２０００−２７２０３１号公報
【発明の開示】
【発明が解決しようとする課題】
【０００８】
前記プラスチック製のパッケージでは、単にフィルムなどの捲装物を巻き取った紙管を収納するだけであり、紙管は保持されていないから、運搬時や輸送時において振動が生じると、内部で移動し周壁面と接触して捲装物を傷めるため、隙間に発泡スチロールなどの緩衝材を詰めて隙間をなくして移動しないようにしなければならなかった。しかしながら、上記緩衝材は運搬、輸送されたり、保管された後、不要となってゴミになり焼却処理しなければならず、また、パッケージもプラスチック製であるから、使用後に産業廃棄物として廃棄焼却する必要があって焼却炉を傷めたり、環境汚染の原因になるという問題点があった。
【０００９】
本発明は、上記のような問題点を解決することを課題として開発されたもので、フィルムなどの捲装物を巻き取った防塵紙管を、パッケージ内に収納し塵埃の付着を防止すると共に、防塵紙管をパッケージ内で安定的に固定し、そのままクリーンルーム内などに持ち込むことが可能な捲装物巻き取り紙管用パッケージを提供することを目的とするものである。
【課題を解決するための手段】
【００１０】
上記の課題を解決し、その目的を達成する手段として、本発明は、防塵紙管に巻き取られた捲装物を収納する円筒状の紙管パッケージであって、該パッケージ本体は、少なくとも内周面を防塵紙とし、両端開口部を閉鎖する蓋体は少なくとも内面側を防塵紙とすると共に、蓋体の内面側に捲装物を巻き取った防塵紙管の内径に嵌合する紙管保持体を設けたことを特徴とする捲装物巻き取り紙管用パッケージを開発し、採用した。
【００１１】
また、本発明では上記のように構成した捲装物巻き取り紙管用パッケージにおいて、前記蓋体は、内面側の外周縁に防塵紙管の両端部が嵌まる段部を設けたことを特徴とする捲装物巻き取り紙管用パッケージ、および前記紙管保持体は、短円筒状の紙管であり、内、外周面を防塵紙とすると共に、先端部を合成樹脂で塗着して樹脂被膜を施してあることを特徴とする捲装物巻き取り紙管用パッケージを開発し、採用した。
【発明の効果】
【００１２】
本発明によれば、フィルムなどの捲装物を巻き取った防塵紙管が、内面を防塵紙としたパッケージに収納されるから、塵埃が付着することがなくなると共に、クリーンルームまたはクリーンルームに近い塵埃の少ない環境に保たれた室内に持込が可能となるばかりでなく、そのまま巻き取り、巻き戻し作業などができ、クリーンルームを汚さない。
【００１３】
また、防塵紙管は蓋体の内面に設けた段部および紙管保持体により左右両面で嵌合保持されているから、運搬時や輸送時において衝撃力が加わったとしても、蓋体が外れたりすることなく、内部で動揺せず周壁面と接触することがなく、安定して固定でき、フィルムなどの捲装物を傷めることがない。また、紙管保持体のサイズを変えれば、各種サイズの紙管に利用できる至便性があるばかりでなく、紙管の取り付けや取り外しも簡単にできる。さらに、使用後においては、全てが紙製であるから、不用になれば、リサイクル古紙として再利用でき資源保護に役立つ。
【発明を実施するための最良の形態】
【００１４】
以下に、本発明の実施の形態を添付の図１〜図５に基づいて説明すれば、本発明に係る捲装物巻き取り紙管用パッケージは、大径の円筒形状のパッケージ本体１と、そのパッケージ本体１の両端開口部２，２を封鎖する円形の蓋体３，３と、その蓋体３，３の内面側中央部に一体的に設けた紙管保持体４，４とからなり、それらの全てが紙製で形成されている。
【００１５】
上記のパッケージ本体１は、フィルムなどの捲装物Ｆをロール状に巻き付ける防塵紙管５を収納できる大きさの内径を持つ円筒形状の紙管であり、帯状原紙をスパイラル状に巻回して形成したものであり、その内周面を防埃紙１ａあるいは内周面と外周面の両面を防埃紙１ａ，１ｂとする場合があり、防塵紙１ａとしてはパーチメント紙を用いる。
【００１６】
円形の蓋体３は、パッケージ本体１の外径と同じ大きさの外径を持ち、複数枚の板紙を重合接着して形成した強度性の高いもので、内面側で外周縁に沿う内側に段部６を設け、その段部６に防塵紙管５の両端部が嵌まりこむようになっている。この蓋体３は内面および外面に防塵紙３ａ，３ｂを使用してある。
【００１７】
紙管保持体４は、帯状原紙をスパイラル状に巻回して内面と外面を防塵紙４ａ，４ｂとした小径の短筒紙管であり、捲装物Ｆを巻き付けた防塵紙管５の内径に嵌合する外径を有しており、その先端面には切断箇所から紙粉が発生しないようにアクリル樹脂を塗着して樹脂被膜４ｃを施してある。
【００１８】
上記のように構成した本発明の実施の形態による捲装物巻き取り紙管用パッケージの使用例を作用、効果と共に説明すると、図４，５に示すように、フィルムＦを巻き取った防塵紙管５をパッケージ本体１内に収納し、両端開口部２，２に蓋体３，３を被せると、蓋体３，３の内面側に設けた段部６，６に防塵紙管５の両端部が嵌まると共に、紙管保持体４，４が防塵紙管５の内径に挿入嵌着して保持することになり、運搬時、輸送時などにパッケージ本体１に衝撃を受けても、蓋体３，３はパッケージ本体１から外れることなく、しっかり嵌着されているから、パッケージ本体１内の捲装物Ｆを巻付けた防塵紙管５は固定されており、パッケージ本体１内で妄動することがなく、フィルムＦを傷つけることがない。
【００１９】
また、パッケージ本体１の内部は、パッケージ本体１の内周面を防塵紙１ａ、蓋体３の内面を防塵紙３ａ、短筒紙管の保持体４，４の内周面と外周面をそれぞれ防塵紙４ａ，４ｂにしてあり、内面部が全て防塵性になっているから、捲装物Ｆに塵埃が付着することなく、そのままクリーンルームなどに持込むことができ、巻き取り、巻き戻し作業などができ、クリーンルームを汚さない。
【００２０】
以上、本発明の実施の形態では、フィルムを巻き付けた防塵紙管の例で説明したが、フィルム以外の場合でも良いのは勿論のことであり、また、フィルムなどを巻きつける前の防塵紙管だけの場合もあり、要するに、本発明は上記の実施例に限定されるものではなく、発明の目的を達成でき、かつ発明の要旨を逸脱しない範囲内で種々の設計変更が可能であることは言うまでもない。
【産業上の利用可能性】
【００２１】
本発明は、各種のフィルムやシート、紙、繊維、アルミ箔などをロール状に巻取る紙管を収納するパッケージとして利用できるものである。
【図面の簡単な説明】
【００２２】
【図１】本発明のパッケージ本体の斜視図である。
【図２】本発明のパッケージ本体と蓋体の斜視図である。
【図３】防塵紙管の斜視図である。
【図４】防塵紙管をパッケージ本体に収納した斜視図である。
【図５】使用状態を示す縦断面図である。
【符号の説明】
【００２３】
１    パッケージ本体
１ａ  防塵紙
２    開口部
３    蓋体
３ａ  防塵紙
４    紙管保持体
４ａ  防塵紙
４ｂ  防塵紙
４ｃ  樹脂被膜
５    防塵紙管
６    段部
【図１】
2009040573.tif 000003
【図２】
2009040573.tif 000004
【図３】
2009040573.tif 000005
【図４】
2009040573.tif 000006
【図５】
2009040573.tif 000007